(57)【要約】【課題】複数枚のメモを別けて挟める従来のメモホルダ−は、薄手のメモ用紙は差し込みにくく、倒れて重なると見にくいため、薄手のメモ用紙でも差し込み易く、かつ、メモ用紙を別けて挟むとともに任意の向きに挟み留められるメモホルダ−を提供する。【解決手段】基盤２の一部に取り付けた一定の長さの支柱４に、スポンジ又は軟質ゴムによる弾性摩擦体５の端部に差し込み穴６を設けるとともに、その弾性摩擦体５の側面に、一定の深さのスリット７を設けたメモ保持具８を形成し、そのメモ保持具８複数個を前記した支柱４に取り付けたメモホルダ−１とする。【選択図】図１
0003120277.tif 000002
【実用新案登録請求の範囲】
【請求項１】
基盤の一部に一定の長さの支柱を取り付け、その支柱に、スポンジ又は軟質ゴムによる弾性摩擦体の端部に差し込み穴を設け、その差し込み穴の対向側の側面に、一定の深さのスリットを設けたメモ保持具を形成し、そのメモ保持具を前記した支柱に複数個取り付けて成る構成を特徴とするメモホルダ−。
【請求項２】
上記するメモ保持具に設けるスリットが、二枚の弾性摩擦体を重ね合わせた半分を接着して成る他方にスリットを形成して成る請求項１に記載するメモホルダ−。
【請求項３】
上記する支柱に、弾性摩擦体に筆記具を挟める幅広スリットを設けたペン保持具を組み合わせて成る請求項１又は請求項２に記載するメモホルダ−。
【考案の詳細な説明】
【技術分野】
【０００１】  本考案は、複数枚のメモ用紙を別けて、かつ、任意の向きに機能的に挟み留められるメモホルダ−に関する。
【背景技術】
【０００２】  従来より、メモクリップやメモホルダ−は様々なタイプがあり、背面に剥離紙付き粘着剤または磁石を備えた逆Ｊ字状の本体の内側に板バネやゴム突起を設け、その間にメモ用紙を差し込んで挟むタイプのメモクリップやメモホルダ−があった。【０００３】  さらに、ゴム等の素材によるブロック状のスタンド部の表面に、適度な深さのテ−パ−付きスリットを上下に複数本設け、そのスリットにメモ用紙を複数枚別けて挟み留められるタイプのメモスタンドを本出願人により提起している。（例えば、特許文献１参照）【０００４】  また、弾性ある発泡プラスチックの上面を所定方向に傾斜させて、その上面に、側面形状がノコギリの刃のような切り欠き部を設け、その切り欠き部に一定の深さの切り込みを複数本設けたメモホルダ−を構成した前記切り込み部に、複数枚のメモ用紙を別けて挟み留められる技術もある。（例えば、特許文献２参照）
【特許文献１】特開２００４−２０３０５３公報（第１頁、図１）
【特許文献２】登録実用新案公報３０５５７１５号（第５〜８頁、図１）
【考案の開示】
【考案が解決しようとする課題】
【０００５】  上記するようなメモクリップやホルダ−があり、逆Ｊ字状の本体に備えた板バネやゴム突起の間にメモ用紙を挟むタイプでも複数枚のメモ用紙を挟める。しかし、このメモクリップは複数枚のメモ用紙を挟めても一か所に重ねて挟むことになるので、必要な時に目的とするメモを見る際は、挟んだメモをめくってみるか、または全部のメモ用紙を取り外して一枚づつ見るしかないので面倒である。また複数枚の場合は重なっているため、挟み留めた状態のまま見ることは構造的にできないなどの欠点があるし、このタイプの場合は柱や壁面に貼り付けて使う方式であるため、机上に位置して使えないうえ、任意に移動して使うこともできないなどの不便もある。【０００６】  さらに、特開２００４−２０３０５３公報は本出願人によるメモスタンドであるが、スポンジやゴム等の素材によるブロック状のスタンド部の表面に、適度な深さのテ−パ−付きスリットを上下に複数本設け、そのスリットにメモ用紙を挟み込むものであり、複数枚のメモ用紙を上下に別けて差し留められる効果はある。しかし、差し込むスリットの幅が長いので、腰の強いメモ用紙ならよいが、薄手のメモ用紙はスム−ズに差し込めないうえ、別けて差し込めるとは言え、お互いが垂れ下がるように重なって保持されるため、一番上のメモ用紙はそのまま見られるが、他のメモ用紙は一々めくって見る必要があるなどの不便があるメモスタンドであった。【０００７】  また、登録実用新案公報３０５５７１５号に開示される技術は、弾性ある発泡プラスチックの上面を傾斜させたノコギリ状の切り欠き部に一定の深さの切り込みを複数本付けたメモホルダ−であり、その切り込みの間にメモ用紙を別けて縦に挟み留められる利点はある。しかし、このメモホルダ−はメモ用紙を縦に挟み留められるが、切り込みに上からメモ用紙を挟み込む際に、腰の強いメモ用紙はよいが、薄手のメモ用紙は差し込みにくいうえ、横方向に倒れて隣り合うメモ用紙が重なってしまうなどの欠点があり、使いにくいメモホルダ−の技術である。
【課題を解決するための手段】
【０００８】  本考案は上記するような不便や欠点を解消するために、請求項１においては、基盤の一部に一定の長さの支柱を取り付け、その支柱に、スポンジ又は軟質ゴムによる弾性摩擦体の端部に差し込み穴を設け、その差し込み穴の対向側の側面に一定の深さのスリットを設けて成るメモ保持具を形成し、そのメモ保持具を前記した支柱に複数個取り付けることで、メモ用紙をスリットに簡単に挟み留められるとともに、その向きを自由に変えられるメモホルダ−とする。【０００９】  請求項２においては、上記するメモ保持具に設けるスリットが、二枚の弾性摩擦体を重ね合わせた半分を接着した他方にスリットを形成することで、請求項１と同様の作用を得るとともに製造も容易なものとする。【００１０】  請求項３においては、上記する支柱に、弾性摩擦体に筆記具を挟める幅広スリットを設けたペン保持具を組み合わせることで、常時筆記具を備えられるメモホルダ−とする。
【考案の効果】
【００１１】  本考案におけるメモホルダ−は、スポンジや軟質ゴムによる弾性摩擦体にスリットを設けた複数個のメモ保持具を、一定の高さの支柱に等間隔に取り付けたメモホルダ−であるので、メモ用紙を挟み留める場合は、前記した弾性摩擦体のスリットに差し込むことで容易に差し留められ、かつ、メモ保持具は一定の間隔で支柱に取り付けられるので、複数のメモ用紙を別けて保持するとともに、メモ保持具を好きな向きに回すこともできるため、各、メモ保持具に挟み留めたメモ用紙を見やすい位置に回すことができる。さらに一つのメモ保持具に複数枚のメモ用紙を挟むこともできるうえ、薄手のメモ用紙の場合差しみにくくてもメモ保持具は弾性素材であるので、スリットの上部をめくるようにして挟むこともできる機能的なメモホルダ−である。【００１２】  また、実施例１タイプのメモ保持具は摩擦素材できつく嵌っているので、任意の間隔に位置することができるとともに、実施例２タイプは一定の長さの保持筒を、各メモ保持具の間に介在させているので、長期間使用してメモ保持具の差し込み穴がゆるくなっても保持筒により各メモ保持具の間隔を一定に保てる。加えて、実施例３タイプは、メモ用紙以外に筆記具を保持できるペン保持具を組み合わせているので、必要な時に速やかにメモを取ることができる構成であり、いずれのタイプもシンプルにして機能的なメモホルダ−を広く安価に提供するものである。
【考案を実施するための最良の形態】
【００１３】  複数枚のメモ用紙を一定の間隔で個別に保持し、かつ、好きな向きに変えて挟み留められるように、基板に取り付けた支柱に、スポンジ又は軟質ゴムによる弾性摩擦体にスリットを設けたメモ保持具を複数個取り付けて成るメモホルダ−とする。
【実施例１】
【００１４】  本考案の実施例１のメモホルダ−を、図１に示す一部分解斜視図と図２に示すメモ保持具の拡大断面図で説明する。実施例１におけるメモホルダ−１は、適度な重さと大きさの基盤２の一部に固定穴３を設け、その固定穴３に、高さ約２０〜２５ｃｍ前後の支柱４を取り付け、その支柱４に、厚さ約１０ｍｍで、直径約５ｃｍていどの大きさのスポンジ又は軟質ゴム等による弾性摩擦体５の端部寄りに、前記した支柱４に少しきつく嵌る差し込み穴６を設けるとともに、その差し込み穴６の対向側の側面中央に、約半分ていどの深さのスリット７を設けたメモ保持具８を形成し、そのメモ保持具８複数個を、前記する支柱４に一定の間隔で差し込んだ支柱４の上端部にキャップ９を取り付けたメモホルダ−１を構成する。尚、スリット７は単なる切れ込みであるが、入口にテ−パを付けてわずかに隙間を付けてもよい。【００１５】  実施例１のメモホルダ−１は基盤２に取り付けた支柱４に、スポンジや軟質ゴムによる弾性摩擦体５の側面に一定の深さのスリット７を設けたメモ保持具８複数個を等間隔に差し込んで成るメモホルダ−１を形成するので、メモ用紙Ａを挟む時はスリット７にメモ用紙Ａを差し留められるが、メモ保持具８は弾性素材であるので、差し込みにくい薄いメモ用紙は、スリット７上部の弾性摩擦体５を少しめくるようにして差し入れてから手を離せば、弾性で元に戻ることで挟み留められる。さらに、支柱４に複数個取り付けられたメモ保持具８，８はきつめの穴で保持されるので、上下にスライドさせて任意の間隔にすることもできるとともに、回転させて向きを変えることもできるメモホルダ−１を形成する。
【実施例２】
【００１６】  実施例２のメモホルダ−を、図３に示す一部分解斜視図と図４に示すメモ保持具の拡大断面図で説明する。実施例２におけるメモホルダ−１は、基盤２に支柱４を取り付けることは前記実施例１と同じであるが、その支柱４に組み合わせるメモ保持具８のスリット７の設け方が異なる。まず、前記実施例１タイプより薄いスポンジ又は軟質ゴムによる弾性摩擦体５，５を二枚重ねた約半分を接着剤１０で貼り合わせて、その対向側半分にスリット７を形成する弾性摩擦体５の、前記貼り合わせ部に差し込み穴６を設けたメモ保持具８を形成したうえで、前記支柱４に一定の長さの保持筒１１を差し込み、その上部に前記するメモ保持具８と保持筒１１を交互に複数個差し込んで成る支柱４上部に、キャップ９を取り付けたメモホルダ−１を構成する。【００１７】  実施例２のメモホルダ−１は、支柱４に取り付けるメモ保持具８に設けるスリット７が、二枚の弾性摩擦体５を重ね合わせた半分を貼り合わせ、残り半分がスリット７を形成するので、実施例１と同様の作用を得てメモ用紙を挟み留められる。さらに複数個のメモ保持具８，８は、一定の長さの保持筒１１と交互に支柱４に取り付けられるので、例えば、長期間使用してメモ保持具８の差し込み穴６がゆるくなっても、各メモ保持具８，８の間隔を一定に保持できるメモホルダ−１を形成する。【００１８】
【実施例３】  実施例３のメモホルダ−を、図５に示す一部省略した斜視図で説明する。本実施例に示すメモホルダ−１は実施例１と同じタイプであるが、その支柱４の下部には、一定の厚みの弾性摩擦体５の一部に差し込み穴６を設け、その対向側の側面には、ボ−ルペンや鉛筆等の筆記具Ｂを挟み込める幅広スリット７ａを一定の深さに設けたペン保持具１２を形成し、そのペン保持具１２を前記支柱４に差し込み、その上部に複数個のメモ保持具８を取り付けて実施例３のメモホルダ−１を構成する。尚、このペン保持具１２は、前記した実施例２タイプに組み合わせてもよく、また差し込み穴を設けないタイプを基盤２に取り付けてもよい。【００１９】  実施例３のメモホルダ−１は、メモ保持具８を取り付ける支柱４に、弾性摩擦体５に筆記具Ｂを挟み込める幅広スリット７ａを設けたペン保持具１２を組み合わせるので、複数枚のメモ用紙Ａを挟み留めるとともに、筆記具Ｂも常時備えられるメモホルダ−１２を形成する。【００２０】  本考案におけるメモホルダ−１を構成するメモ保持具８の平面形状は円形であるが、四角や他の形でもよいし、その大きさや厚みも自由である。また、ペン保持具１２は、凹部状にカットした幅広スリット７ａを一体形成するが、これも実施例２タイプのように単独形成した上部と下部の間に連結部を接着形成したものでも差し支えないものであり、いずれも特に限定されるものではない。
【産業上の利用可能性】
【００２１】  本考案はメモ用紙を挟み留めるものであるが、保持具にバネを有するクリップに代えることで、重くても薄い商品の展示器具にも適用することができる。
【図面の簡単な説明】
【００２２】
【図１】本考案の実施例１のメモホルダ−を示す一部分解斜視図である。
【図２】実施例１のメモ保持具を示す拡大断面図である。
【図３】実施例２のメモホルダ−を示す一部分解斜視図である。
【図４】実施例２のメモ保持具を示す拡大断面図である。
【図５】実施例３のメモホルダ−を示す一部省略した斜視図である。
【符号の説明】
【００２３】  １  メモホルダ−
２  基盤
３  固定穴
４  支柱
５  弾性摩擦体
６  差し込み穴
７  スリット
７ａ  幅広スリット
８  メモ保持具
９  キャップ
１０  接着剤
１１  保持筒
１２  ペン保持具
Ａ  メモ用紙
Ｂ  筆記具
【図１】
0003120277.tif 000003
【図２】
0003120277.tif 000004
【図３】
0003120277.tif 000005
【図４】
0003120277.tif 000006
【図５】
0003120277.tif 000007